(57)【要約】【課題】ボールラックの積載荷重をロッカー本体の側板部で支えるように構成したボールラック付きロッカーを提供する。【解決手段】左右に長い長方体であって、ボウリングボール載置台を兼ねるロッカー本体２と、このロッカー本体２の左右両側から上方へ延びる一対のスタンド２２の間に、複数個のボール係止用凹所４０を有する棚段３０を架設してなるボールラック２０とを具備し、上記ロッカー本体２は、基盤６と左右一対の垂直な剛性側板部８と後板部１０と頂板部１２とで形成される前面開口の箱体４と、この箱体の前面側に枢着された１又は２以上の扉１６とで形成され、上記スタンド２２は、上方からみてロッカー本体２の上面の左右両縁に沿って長く延びている。【選択図】図１
2010253119.tif 000002
【特許請求の範囲】
【請求項１】
基盤６と左右一対の垂直な剛性側板部８と後板部１０と頂板部１２とを前面開口の箱形に連結するとともに、前側に扉１６を取り付けたロッカー本体２と、
ロッカー本体２の左右両側から起立する一対のスタンド２４の間に複数個のボール係止用孔４０を有する棚段３０を架設したボールラック２０と、を具備し、
ボール係止用孔４０内に載せたボウリングボールが頂板部に触れることがないようにボール係止用孔のサイズ及び頂板部１２からの棚段３０の高さを定めるとともに、ボールラック２０及びボールラックの全てのボール係止用孔４０内に載置したボウリングボールの全重量を、スタンド２４を介して２枚の剛性側板部８で支えることができるように構成したことを特徴とする、ボールラック付きロッカー。
【請求項２】
上記スタンド２４を、剛性側板部８と平行でありかつロッカー本体の側縁に沿って前後方向に延びる垂直板とするとともに、この垂直板の下端から左右方向内方へ突出した水平固定板２６を頂板部の左右両部に固定したことを特徴とする、請求項１記載のボールラック付きロッカー。
【請求項３】
上記スタンド２４を、剛性側板部８と平行でありかつロッカー本体の側縁に沿って前後方向に延びる垂直板とするとともに、
各剛性側板部８とこれに連なるスタンド２４とは、スタンド２４から剛性側板部８へボールラックの積載荷重が直接伝わるように接合することで、ボールラックを支える支柱板として機能するように形成したことを特徴とする、請求項１記載のボールラック付きロッカー。
【請求項４】
上記ボールラック２０のスタンド２４を、剛性側板部８の外面に固定するとともに、この固定箇所からロッカー本体２の上面よりも上へ延びるように形成したことを特徴とする、請求項３に記載のボールラック付きロッカー。
【請求項５】
上記ロッカー本体２の左右巾を、ロッカー本体の下面から棚段３０までの高さに比べて長く形成したことを特徴とする、請求項１から請求項４の何れかに記載のボールラック付きロッカー。
【発明の詳細な説明】
【技術分野】
【０００１】
本発明は、ボールラック付きロッカーに関する。
【背景技術】
【０００２】
ボウリング場などでは、ボウリングボール載置用の凹所を一列に配した棚段を有するボールラックが用いられている（特許文献１）。
【０００３】
しかしながら、こうしたボールラックはボウリングボールの載置だけのためにかなりの面積を占有するので、場所の利用法として効率的ではない。利用者の荷物などを収納するロッカー本体の上にボウリングボールを載置することができれば便利である。
【０００４】
こうした観点から、前面に扉を有する背の低い箱体の頂板を、複数のボウリングボールを載置するための載置盤としたものが知られている（特許文献２）。このボウリングボール用載置盤は、上記頂板の外周部に周設した柵と、この柵の内部にボウリングボールを均一に配置するために頂板から突出した複数の突起（台板）とで形成する。
【先行技術文献】
【特許文献】
【０００５】
【特許文献１】特開平１０−１１８２４３号
【特許文献２】特開２００５−３２３８２０
【特許文献３】特開２０００−２１０１３６
【発明の概要】
【発明が解決しようとする課題】
【０００６】
特許文献２の載置盤付きロッカー本体は、箱体の頂板で複数のボウリングボールを支える構造となっている。ところがボウリングボールはかなり重量があるので、頂板部に直接載せるという行為を長い間繰り返すと、載置箇所に瑕が付いたり、塗装が剥げたり、場合によっては頂板が変形してしまう可能性がある。この変形に対しては、ロッカー本体内に縦設する仕切り板を厚くして支持力を高めることも可能である。しかしながら、下方からの支えがない頂板部分にボウリングボールが置かれると、頂板が歪んでしまう可能性がある。ボウリングボールを直接頂板に載せる構造では、そのボールを取り出した後に瑕や歪みが利用者の目に入ることになるので、外見を損なう。
【０００７】
出願人はかつてロッカー本体の底板の補強のために底板を補強板で覆うことを提案している（特許文献３）。この提案を参考として特許文献２の頂板の上に補強板を重ねたり、あるいは頂板そのものを厚くするということも考えられる。しかしながら、仮に利用者が頂板の前端部側に勢いよくボウリングボールを載せたりすると、頂板の前端部が下方へ変形してしまい、例えば扉のたて付けが悪くなるなどのおそれがある。
【０００８】
こうした問題点を解決するために、出願人は、ロッカー本体の上部側にボールラックを合体させたロッカーの構成に想い至った。しかしながら、重いボウリングボールを、ロッカー本体の上部に装着したボールラックに載せるときに、ボールラック及びロッカー本体がぐらついたりしては都合が悪い。
【０００９】
本発明の第１の目的は、ボールラックの積載荷重をロッカー本体の側板部で十分かつ確実に支持できるようにボールラックと合体させたロッカーを提供することである。
【００１０】
本発明の第２の目的は、ボウリングボールを体裁よく収納できるボールラック付きのロッカーを提案することである。
【００１１】
本発明の第３の目的は、ボウリングボールを安定的に収納できるボールラック付きのロッカーを提案することである。
【課題を解決するための手段】
【００１２】
第１の手段は、
基盤６と左右一対の垂直な剛性側板部８と後板部１０と頂板部１２とを前面開口の箱形に連結するとともに、前側に扉１６を取り付けたロッカー本体２と、
ロッカー本体２の左右両側から起立する一対のスタンド２４の間に複数個のボール係止用孔４０を有する棚段３０を架設したボールラック２０と、を具備し、
ボール係止用孔４０内に載せたボウリングボールが頂板部に触れることがないようにボール係止用孔のサイズ及び頂板部１２からの棚段３０の高さを定めるとともに、
ボールラック２０及びボールラックの全てのボール係止用孔４０内に載置したボウリングボールの全重量を、スタンド２４を介して２枚の剛性側板部８で支えることができるように構成している。
【００１３】
本手段では、ボールラックのスタンドをロッカー本体の左右両側から起立させ、ボールラックに積載した荷重がボールラックのスタンドからロッカー本体の剛性側板に伝わるように構成している。これにより、ボールラックの支持力が高まり、頂板部の変形量が少なくなり、また利用者の目に触れやすい場所に瑕や歪みが生じないので、体裁がよい。
【００１４】
「ボールラック」は、左右一対のスタンドの間に１つ又は複数の棚段を架設してなる（図２及び図９参照）。前面開口のロッカー本体の基本構造では、頂板部の前端側に比べて左右両端部の方が大きな支持力が得られるからである。
【００１５】
「スタンド」は、ボールラックの積載荷重を剛性側板部へ伝える機能を有し、スタンドをロッカー本体の左右両側（好ましくは本体の左右両端側）から起立する。スタンドは、垂直な板（中実板）又は垂直なフレームで形成することができる。
【００１６】
「棚段」は、ボウリングボールを頂板部に触れないように支える機能を有する。パイプなどの棒材を梯子状に組み合わせてボール係止用孔を形成するとよい。ボールラックの安定性のために、頂板部から棚段中心線までの高さｈは、図１の如く通常のボウリングボールの半径ｒ以下とするとよい。
【００１７】
第２の手段は、第１の手段を有し、かつ
上記スタンド２４を、剛性側板部８と平行でありかつロッカー本体の側縁に沿って前後方向に延びる垂直板とするとともに、この垂直板の下端から左右方向内方へ突出した水平固定板２６を頂板部の左右両部に固定している。
【００１８】
利用者がボウリングボールをボールラックに載せるときには、例えば図１に矢示するようにボール係止用孔内へ斜め上方から嵌入することが考えられる。こうした左右方向への水平方向に抵抗するために、本手段では、スタンドである垂直板の下端から左右方向内側へ水平固定板を突出している。水平固定板は、上記スタンドが頂板部の左右両端部分から剛性側板部と水平に起立するように、頂板部に対して固定する。それら左右両端部分は剛性側板部と連結しているので、頂板部の中央部分に比べて変形しにくい。
【００１９】
第３の手段は、第１の手段を有し、かつ
上記スタンド２４を、剛性側板部８と平行でありかつロッカー本体の側縁に沿って前後方向に延びる垂直板とするとともに、
各剛性側板部８とこれに連なるスタンド２４とは、スタンド２４から剛性側板部８へボールラックの積載荷重が直接伝わるように接合することで、ボールラックを支える支柱板として機能するように形成している。
【００２０】
本手段は、スタンドから剛性側板部へ直接荷重が伝わるようにスタンドと剛性側板部とを接合することを提案している。その接合の態様には、スタンドと剛性側板部とが他の物（頂板部及び水平固定板部）を介して間接的にする図５の形態と、スタンドと剛性側板部とが直接接合する図７の形態とが含まれる。剛性側板部及びスタンドは一つの支柱板（支柱の役割を果す板をいう）の機能を果たし、頂板部に掛る負荷を低減している。
【００２１】
第４の手段は、第３の手段を有し、かつ
上記ボールラック２０のスタンド２４を、剛性側板部８の外面に固定するとともに、この固定箇所からロッカー本体２の上面よりも上へ延びるように形成している。
【００２２】
本手段では、剛性側板部の左右方向外面からスタンドを起立することを提案している。従ってボールラックの積載荷重を剛性側板部へ確実に伝達させることができる。
【００２３】
第５の手段は、第１の手段から第４の手段のうちの何れかを有し、かつ上記ロッカー本体２の左右巾を、ロッカー本体の下面から棚段３０までの高さに比べて長く形成している。
【００２４】
すなわち図１、図６、又は図８に示す如くロッカー本体の下面からの棚段の高さに比べて、ロッカー本体の左右巾に長くすることでボールラックの安定性が高まる。
【発明の効果】
【００２５】
第１の手段に係る発明によれば、ボールラック２０の積載荷重がスタンド２４からロッカー本体の剛性側板部８へ伝わるから、十分な支持力を発揮できる。また、ロッカー本体の頂板部１２に直接ボウリングボールを載せないので、頂板部に瑕がつくことがない。
【００２６】
第２の手段に係る発明によれば、頂板部１２の左右両端部分からスタンド２４を起立したから、剛性側板部８から離れた場所での頂板部の変形を防止できる。
【００２７】
第３の手段に係る発明によれば、ボールラック２０の積載荷重がスタンド２４から直接剛性側板部に伝達するようにしたから、頂板部１２に荷重がかかることを防止できる。
【００２８】
第４の手段に係る発明によれば、スタンド２４を剛性側板部８の外面に固定したから、ボールラック２０の積載荷重を剛性側板部へ確実に伝達させることができる。
【００２９】
第５の手段に係る発明によれば、ボールラック２０の棚段３０の高さに比べてロッカー本体２を左右に長くしたから、安定性が向上する。
【図面の簡単な説明】
【００３０】
【図１】本発明の第１実施形態のボールラック付きロッカーの正面図である。
【図２】図１のロッカー本体の平面図である。
【図３】図１のロッカー本体の一部拡大図である。
【図４】図１のロッカー本体の側面図である。
【図５】本発明の第２実施形態のボールラック付きロッカーの要部拡大図である。
【図６】本発明の第３実施形態のボールラック付きロッカーの正面図である。
【図７】図６のロッカー本体の一部拡大図である。
【図８】本発明の第４実施形態のボールラック付きロッカーの正面図である。
【図９】図８のロッカー本体の平面図である。
【図１０】図８のロッカー本体の側面図である。
【発明を実施するための形態】
【００３１】
図１から図４は、本発明の第１実施形態のボールラック付きロッカーを示している。このボールラック付きロッカーは、ロッカー本体２と、ボールラック２０とからなる。
【００３２】
ロッカー本体２は、長方体形状で前面開放の箱体４と、この箱体の前面に枢着した扉１６とで構成している。箱体４は、基盤６と、この基盤の左右両側から起立する一対の剛性側板部８と、基盤の後側から起立する後板部１０と、これら剛性側板部及び後板部によって支えられる頂板部１２とを有する。また好適な図示例では、箱体４の内部に等間隔に垂直な仕切り板１４を設け、仕切られた各空間ごとに扉１６を枢着している。上記頂板部１２の左右両端は剛性側板部８の上端に適当な方法で強固に連結する。好適な一実施例として、剛性側板部を形成する金属板の上端部を水平に折り曲げて、この折曲げ板部分８ａを頂板部の端部に面接触させ、溶接やネジ止めなどで連結することができる。同様に頂板部側の端部を折り曲げて剛性側板部に連結してもよい。頂板部１２の後端は後板部１０に連結する。
【００３３】
上記一対の剛性側板部８は、ボールラック２０及びボールラックに載置可能なボウリングボールの最大積載荷重を支えることが可能な強度を有する。その強度を確保できる程度に板材の肉厚を大きくすることが好適である。剛性側板部８の後端は後板部１０の左右両端に強固に連結され、剛性側板部８が左右方向に傾くことを防止する。
【００３４】
上記ロッカー本体２の高さは、ボールラック２０へのボウリングボールＢの出し入れが容易であるように設定する。例えば６００〜７００ｍｍ程度とすると好適である。ロッカー本体２の左右の巾及び前後の奥行きはロッカー本体の高さより大きくするとよい。水平方向に対する安定性が高くなるからである。
【００３５】
好適な一実施例である図示例では、ロッカー本体２の高さを９２０ｍｍ、左右巾を１３９０ｍｍ、奥行きを５４０ｍｍ、扉の巾を４３０ｍｍとしており、扉の数を３つとしている。このロッカー本体の大きさは、ボウリングボール入りのバッグをそのまま収納することができるように設定されている。
【００３６】
ボールラック２０は、ロッカー本体２の上面に載置されている。ボールラック２０は、左右一対の支持脚２２と、これら支持脚の間に架設した複数の棚段３０とで構成する。支持脚２２及び棚段３０は、適当な剛性及び靭性を有する金属（鋼など）で形成することができる。ボールラックはロッカー本体に対して着脱可能としてもよい。
【００３７】
上記支持脚２２は、ロッカー本体２の上面の左右両部から起立するスタンド２４と、スタンド２４の下端から左右方向内側へ延長する水平固定板２６とで前方から見てＬ字形に形成している。図示例では、前後方向に長い金属製垂直板の下半部を左右方向内側に折り曲げて、垂直な板部分をスタンド２４に、また折り曲げた板部分を水平固定板２６にしている。スタンドと水平固定板２６との屈曲部は、側方からのボウリングボールの嵌入などによる左右方向の外力に弾性的に抵抗できるように形成する。
【００３８】
上記スタンド２４は、ロッカー本体２の上面左右両縁に沿って剛性側板部８と平行に起立する。スタンド２４は、必ずしも剛性側板部８と同一垂直面内に位置している必要はなく、図示例では剛性側板部に対してやや左右方向内寄りに配置されている（図３参照）。これに関しては後述する。しかしロッカー本体２の全体から見れば、スタンド２４は、剛性側板部８のほぼ上方へ延びている。スタンド２４は、後述の棚段を連結するための複数の同じ高さの連結孔２５を有する。図示例のスタンド２４は、連結孔の穿設箇所を除いて中実な板であり、スタンド及び剛性側板部の前後巾はほぼ同じである。
【００３９】
上記水平固定板２６は、スタンド２４と同じ前後巾で左右方向内側へ延出し、その水平固定板の基部及び先部を、それぞれボルトナットなどの締結具２８により頂板部１２の左右両部に固定している。好適な図示例では、外側の締結箇所において、頂板部１２と側板部の折曲げ板部分８ａとを貫いて締結具２８を固定するようにしている。この構成によれば、簡易な構造でロッカー本体に対するボールラックの固定力を高めることができる。また図１に示すように、図示例の水平固定板２６の左右巾Ｌは棚段の高さｈよりも長い。水平方向の外力に対するボールラックの抵抗力を大とするためである。
【００４０】
各棚段３０は、図２に示すように、左右のスタンド２４，２４の間に架設された前後一対のメインパイプ３２，３２と、これらメインパイプの間に架設された偶数本の補助パイプ３６…とで構成されている。本実施形態では、ロッカー本体の上面から棚段３０までの高さｈは、ボウリングボールの半径ｒよりも小さく、図４の例ではその半径の半分程度としている。さらにロッカー本体２の下面から棚段３０までの高さは、ロッカー本体２の左右巾に比べて小としている。
【００４１】
上記メインパイプ３２、３２は、相互に平行で同じ高さにかつ水平に架設する。メインパイプ３２は補助パイプ３６よりも強度が高く大径である。支持脚２２への連結方法は任意であるが、図示例では、スタンド２４の連結孔２５を介して外側からボルトなどの連結具３４の先部を挿入し、メインパイプ３２の端部内にネジ止めしている。また補助パイプの各端部は、適当な方法でメインパイプ３２に強固に連結する。好適な一例としてメインパイプの連結箇所に補助パイプよりもやや小径の取付け孔を穿設し、この取付け孔内に補助パイプを圧入するようにしてもよい。また、メインパイプに対して補助パイプの端部を溶接してもよい。
【００４２】
上記補助パイプ３６…は、図２に示す如く、一定の長い巾ａと一定の短い巾ｂとを交互に繰り返して配列されている。そして長い巾ａを隔てて隣り合う２本一組の補助パイプとこれら補助パイプとの間のメインパイプ部分とで囲われる空間を、ボール係止用孔４０としている。また補助パイプの間の短い巾ｂは、各ボール係止用孔４０にボウリングボールを載置したときにボール同士が当接しないように設定するとよい。図示例では、同じ高さの２本の棚段３０を、スタンド２４の前部及び後部にそれぞれ架設している。
【００４３】
上記ボール係止用孔４０は上方から見て正方形に形成している。この正方形の各辺がボウリングボールに同時に接してボールを支える。好適な図示例ではボウリングボールの直径方向の１／４程度の部分がボール係止用孔４０内に嵌り込むように形成している。ボウリングボールの嵌り具合が浅過ぎると係止力が不十分となるからである。ボールラック２０のボール係止用孔４０の数は、全ての凹所にボウリングボールを設置したときのボール及びボールラックの荷重を支持脚２２及び剛性側板部８で支持できるように設計する。
【００４４】
上記ボールラック２０は、図２に示すように前後方向に延びる支持脚２２を有するので、前後方向への荷重に対する抵抗力が大きい。例えば図５に矢示する如く前後方向からボウリングボールを載せたとしても、ボールラック２０がぐらつくことはほとんどない。また、図１に矢示するように左右方向からボウリングボールを載せたときには、スタンド２４と水平固定板２６とで形成する２つの支持脚２２により、水平方向の荷重に対して弾性的に抵抗する。このとき、ロッカー本体２上面から棚段３０までの高さがボウリングボールの半径よりも小さいこと、及びロッカー本体２の下面から棚段までの高さがロッカー本体２の左右巾よりも小さいことから、ボールラックの安定性が維持される。
【００４５】
好適な図示例では、ロッカー本体２の上面からのスタンド２４の高さを１００ｍｍとし、ロッカー本体２の上面からの連結孔２５の穿設箇所の高さを５０ｍｍとしている。水平固定板２６の左右巾は１５０ｍｍである。メインパイプの中心軸間の距離は２００ｍｍであり、補助パイプ間の長い距離ａは１８３ｍｍ、短い距離ｂは４２ｍｍである。
【００４６】
本発明においては、スタンド２４を剛性側板部８のおおよそ上方へ平行に設けて、ボールラック２０の積載荷重がスタンド２４から剛性側板部８へほぼ垂直に伝達するように形成している。図１の実施例では、スタンド２４の左右方向外面を、剛性側板部８の左右方向外面をよりも３ｍｍほど内側に設定している。連結具３４の基部が、上方から見たロッカー本体２の輪郭の外にはみ出さないように形成するためである。
【００４７】
上記構成において、ボールラック２０にボウルングボールを載置すると、その荷重がスタンド２４から頂板部１２両端部分を介して剛性側板部８へ伝わる。従来のように側板から離れた頂板の中間部分にボールを載せる場合と比べると、頂板部の変形量は少なく、体裁を損ねることがない。さらにその変形を防止するために、頂板を特別に分厚しい板材とする必要が無く、簡易な構成とすることができる。ボールラック２０の棚段３０は左右方向に架設されており、かつそれら棚段３０は前後方向に長いスタンド２４によって支持されている。従って利用者が多少乱暴にボウリングボールを置いたとしても、その衝撃の荷重は棚段３０を介して左右に、またスタンド２４を前後にそれぞれ分散される。従って頂板部１２が局部的に凹んだり、瑕つくことを少なくすることができる。
【００４８】
以下、本発明の他の実施形態について説明する。これらの説明において、第１の実施形態と同じ構成に関しては同一の符号を付することで解説を省略する。
【００４９】
図５は、本発明の第２実施形態に係るボールラック付きロッカーの要部を示す。要部以外の箇所は第１実施形態と同じであるので、第１実施形態の図面を援用する。本実施形態では、スタンド２４と剛性側板部８とが同じ垂直面内に配置されている。言い換えれば前方から見てスタンド２４と剛性側板部８とが垂直に連なるように支持脚２２の水平固定板２６を頂板部１２に固定している。この構成では、スタンド２４と剛性側板部８とは、スタンドと剛性側板部とはボールラックの積載荷重を支える支柱板５０としての役割を果し、スタンドから剛性側板部へ直接荷重が伝わる。
【００５０】
図６から図７は、本発明の第３実施形態に係るボールラック付きロッカーを示している。本実施形態でも、スタンド２４から剛性側板部８へ直接荷重が伝わるように後世している。すなわち、スタンド２４及び剛性側板部８は支柱板５０として機能する。本実施形態では、第１実施形態の支持脚２２に代えて、一枚の垂直板であるスタンド２４を用いる。このスタンド２４の下半部を剛性側板部８の上部外面に固定し、スタンド２４の上半部をロッカー本体２の上面より上方へ起立する。図示例では、剛性側板部８の上部には固定孔９を穿設してあり、またスタンド２４の下半部の対応箇所にも挿通孔が穿設してある。そしてこれら両孔を通してボルトなどの締結具２８を設けることで、スタンド２４を固定している。もっとも固定方法は溶接などでも構わない。本実施形態の構成とすることで、ボールラック２０の積載荷重が剛性側板部に直接伝わり、大きな荷重をしっかりと支えることができる。
【００５１】
図８から図１０は、本発明の第４実施形態に係るボールラック付きロッカーを示している。本実施形態では、前側からボウリングボールを取り出し易いように複数の棚段３０を、高さを変えて設けたものである。その高さは、最前のものが一番低く（第１実施形態のそれと同じ程度）、後にいくほど高くなっている。そして後側の棚段にも手が届くようにロッカー本体の背を低くしている。もっとも図示の例は好適な一例である。図面では前段・中段・後段の３つの棚段が描かれているが、その段数は適宜変更することができる。またロッカー本体の前後双方から近づけるような場合には、真ん中の棚段を高く、前後の棚段を低くしても構わない。支持脚２２のスタンド２４は、棚段３０の高さに対応して、左右外方から見て段差状に形成している。本実施形態のように高さの異なる複数の棚段３０を設ける場合には、図８に示すようにロッカー本体２の下面から最も上側の棚段３０までの高さに比べて、ロッカー本体２の左右巾を大きく形成することが望ましい。
【符号の説明】
【００５２】
２…ロッカー本体  ４…箱体  ６…基盤  ８…剛性側板部  ８ａ…折曲げ板部分
１０…後板部  １２…頂板部  １４…仕切り板  １６…扉  
２０…ボールラック  ２２…支持脚  ２４…スタンド  ２５…連結孔
２６…水平固定板  ２８…締結具  ３０…棚段  ３２…メインパイプ
３４…連結具  ３６…補助パイプ  ４０…ボール係止用孔
５０…支柱板  Ｂ…ボウリングボール  
【図１】
2010253119.tif 000003
【図２】
2010253119.tif 000004
【図３】
2010253119.tif 000005
【図４】
2010253119.tif 000006
【図５】
2010253119.tif 000007
【図６】
2010253119.tif 000008
【図７】
2010253119.tif 000009
【図８】
2010253119.tif 000010
【図９】
2010253119.tif 000011
【図１０】
2010253119.tif 000012